(57)【要約】【課題】撮像画像の中に複数の被写体が存在する場合にも、各被写体に対して適切な画像処理を行うこと。【解決手段】撮像装置は、撮像画像を少なくとも第１の被写体が含まれる第１の領域と第１の被写体とは異なる第２の被写体が含まれる第２の領域とに分割する手段と、第１の領域に対して第１の被写体の種類に応じた第１の画像処理パラメータに基づいて画像処理を行い、第２の領域に対して第２の被写体の種類に応じた第２の画像処理パラメータに基づいて画像処理を行う手段と、第１の画像処理パラメータを変更するための第１のパラメータ変更情報と、第２の画像処理パラメータを変更するための第２のパラメータ変更情報とを表示手段に表示する手段と、第１のパラメータ変更情報に対する操作に応じて第１の画像処理パラメータを変更し、第２のパラメータ変更情報に対する操作に応じて第２の画像処理パラメータを変更する手段と、を備える。【選択図】図１
2018057038.tif 000002
【特許請求の範囲】
【請求項１】
画像を表示する表示部と、
前記表示部に表示された画像中の第１の部分画像に基づいて複数の第１の画像処理を設定し、前記第１の画像処理のパラメータを変更する第１の操作用画像を前記表示部に表示し、前記表示部に表示された画像中の第２の部分画像に基づいて複数の第２の画像処理を設定し、前記第２の画像処理のパラメータを変更する第２の操作用画像を前記表示部に表示する表示制御部と、
前記第１の操作用画像に対する操作により前記第１の画像処理のパラメータを変更し、前記第２の操作用画像に対する操作により前記第２の画像処理のパラメータを変更する制御を行う制御部と、
前記第１の部分画像に対して前記第１の画像処理のパラメータに基づいて画像処理を行い、前記第２の部分画像に対して前記第２の画像処理のパラメータに基づいて画像処理を行う画像処理部と、
を備える電子機器。
【請求項２】
請求項１に記載の電子機器において、
前記表示制御部は、前記複数の第１の画像処理の少なくとも一つの画像処理を、前記複数の第２の画像処理と異なる画像処理に設定する電子機器。
【請求項３】
請求項１または２に記載の電子機器において、
前記表示制御部は、前記第１の操作用画像に対する操作により前記第１の操作用画像の表示位置を変更し、前記第２の操作用画像に対する操作により前記第２の操作用画像の表示位置を変更する電子機器。
【請求項４】
請求項１から３のいずれか一項に記載の電子機器において、
前記画像処理部は、前記第１の部分画像と前記第２の部分画像との境目部分に対して前記第１の操作用画像の表示位置と前記第２の操作用画像の表示位置との間の距離に応じた画像処理を行う電子機器。
【請求項５】
請求項１から４のいずれか一項に記載の電子機器において、
前記第１の操作用画像は、前記複数の第１の画像処理のうち２つの画像処理を前記第１の部分画像に施す比率を変更可能とし、
前記第２の操作用画像は、前記複数の第２の画像処理のうち２つの画像処理を前記第２の部分画像に施す比率を変更可能とする電子機器。
【請求項６】
請求項１から５のいずれか一項に記載の電子機器において、
前記表示制御部は、前記第１の部分画像に含まれる第１の被写体像の種類を示す情報を前記第１の操作用画像の近傍に表示し、前記第２の部分画像に含まれる第２の被写体像の種類を示す情報を前記第２の操作用画像の近傍に表示する電子機器。
【請求項７】
請求項１から６のいずれか一項に記載の電子機器において、
前記第１の操作用画像は、環状の第１画像と、前記第１画像上における複数の位置の中から選択された位置を示すマークとを表示する第１環状画像であり、
前記第２の操作用画像は、環状の第２画像と、前記第２画像上における複数の位置の中から選択された位置を示すマークとを表示する第２環状画像であり、
前記制御部は、前記第１環状画像における前記選択された位置が操作によって変更されることにより前記第１の画像処理のパラメータを変更し、前記第２環状画像における前記選択された位置が操作によって変更されることにより前記第２の画像処理のパラメータを変更する制御を行う電子機器。
【請求項８】
表示部に画像を表示する第１表示工程と、
前記第１表示工程により表示された画像中の第１の部分画像に基づいて複数の第１の画像処理を設定し、前記第１の画像処理のパラメータを変更する第１の操作用画像を前記表示部に表示し、前記表示部に表示された画像中の第２の部分画像に基づいて複数の第２の画像処理を設定し、前記第２の画像処理のパラメータを変更する第２の操作用画像を前記表示部に表示する第２表示工程と、
前記第１の操作用画像に対する操作により前記第１の画像処理のパラメータを変更し、前記第２の操作用画像に対する操作により前記第２の画像処理のパラメータを変更する変更工程と、
前記第１の部分画像に対して前記第１の画像処理のパラメータに基づいて画像処理を行い、前記第２の部分画像に対して前記第２の画像処理のパラメータに基づいて画像処理を行う画像処理工程と、
を有する画像処理方法。
【請求項９】
請求項８に記載の画像処理方法をコンピュータに実行させる画像処理プログラム。
【発明の詳細な説明】
【技術分野】
【０００１】
本発明は、電子機器、画像処理方法、および画像処理プログラムに関する。
【背景技術】
【０００２】
ユーザによって指定された被写体の種類を検出し、検出した被写体の種類に応じた画質パラメータを変更するためのパラメータ変更情報を画面に表示するカメラが知られている（特許文献１参照）。
【先行技術文献】
【特許文献】
【０００３】
【特許文献１】特開２０１１−１０２７３号公報
【発明の概要】
【発明が解決しようとする課題】
【０００４】
上記従来技術では、撮像画像の中に複数の被写体が存在していても、ユーザによって指定されるのは１つの被写体であるため、指定された被写体の種類に応じた画質パラメータしか変更できず、その他の被写体については適切な画質パラメータを変更できなかった。このように、上記従来技術では、撮像画像の中に複数の被写体が存在する場合に、各被写体に対して適切な画像処理を行うことができなかった。
【課題を解決するための手段】
【０００５】
本発明の第１の態様によると、電子機器は、画像を表示する表示部と、前記表示部に表示された画像中の第１の部分画像に基づいて複数の第１の画像処理を設定し、前記第１の画像処理のパラメータを変更する第１の操作用画像を前記表示部に表示し、前記表示部に表示された画像中の第２の部分画像に基づいて複数の第２の画像処理を設定し、前記第２の画像処理のパラメータを変更する第２の操作用画像を前記表示部に表示する表示制御部と、前記第１の操作用画像に対する操作により前記第１の画像処理のパラメータを変更し、前記第２の操作用画像に対する操作により前記第２の画像処理のパラメータを変更する制御を行う制御部と、前記第１の部分画像に対して前記第１の画像処理のパラメータに基づいて画像処理を行い、前記第２の部分画像に対して前記第２の画像処理のパラメータに基づいて画像処理を行う画像処理部と、を備える。
本発明の第２の態様によると、画像処理方法は、表示部に画像を表示する第１表示工程と、前記第１表示工程により表示された画像中の第１の部分画像に基づいて複数の第１の画像処理を設定し、前記第１の画像処理のパラメータを変更する第１の操作用画像を前記表示部に表示し、前記表示部に表示された画像中の第２の部分画像に基づいて複数の第２の画像処理を設定し、前記第２の画像処理のパラメータを変更する第２の操作用画像を前記表示部に表示する第２表示工程と、前記第１の操作用画像に対する操作により前記第１の画像処理のパラメータを変更し、前記第２の操作用画像に対する操作により前記第２の画像処理のパラメータを変更する変更工程と、前記第１の部分画像に対して前記第１の画像処理のパラメータに基づいて画像処理を行い、前記第２の部分画像に対して前記第２の画像処理のパラメータに基づいて画像処理を行う画像処理工程と、を有する。
本発明の第３の態様によると、画像処理プログラムは、第２の態様による画像処理方法をコンピュータに実行させる。
【発明の効果】
【０００６】
本発明によれば、撮像画像の中に複数の被写体が存在する場合にも、各被写体に対して適切な画像処理を行うことができる。
【図面の簡単な説明】
【０００７】
【図１】本発明の一実施の形態によるデジタルカメラの構成例を説明するブロック図である。
【図２】リング画像を説明する図である。
【図３】カーソルの位置に応じた画像処理を説明する図である。
【図４】被写体の種類に応じた画像処理の組合せを説明する図である。
【図５】撮像画像を被写体ごとの領域に分割し、分割領域ごとにリング画像を表示する処理を説明する図である。
【図６】リング画像の表示位置を移動する様子を説明する図である。
【図７】分割領域同士の境目部分に施す画像処理を説明する図である。
【図８】クリエイティブモードにおける処理の流れを説明するフローチャートである。
【図９】図８に続く処理の流れを説明するフローチャートである。
【図１０】カーソルの位置に応じた画像処理の流れを説明するフローチャートである。
【図１１】プログラムの提供の様子を説明する図である。
【発明を実施するための形態】
【０００８】
以下、図面を参照して本発明の一実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。
【００１２】
制御部１４は、表示制御部１４ａ、パラメータ変更部１４ｂ、画像処理部１４ｃ、および領域分割部１４ｄを有する。制御部１４は、ＣＰＵ、メモリ、およびその周辺回路から構成され、メモリに格納された制御プログラムを実行することにより、これらの各部の機能を実現している。各部の機能の内容については、後で詳しく説明する。
【００１３】
表示部１７は、デジタルカメラ１の背面に搭載された液晶モニタ（背面モニタ）等で構成され、撮像素子１２により撮像された撮像画像や各種設定メニューなどが表示される。
【００１４】
操作部材１６は、シャッターボタン１６ａと、表示部１７上に配置されたタッチパネル１６ｂと、を含む。また、操作部材１６は、この他、録画ボタン、モード切替ボタン、十字キー、ＯＫボタン、ディスプレイボタンなどを含む。操作部材１６は、各操作部材が操作されると、その操作に応じた操作信号を制御部１４へ出力する。
【００１５】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
そして、シャッターボタンが押下操作されることにより撮影指示が行われると、制御部１４は、撮像素子１２に記録用の撮像処理を行わせ、撮像素子１２から取得した画像信号に対して所定の画像処理を行って静止画データを生成し、ＪＰＥＧなどの所定の方式により圧縮処理を行って、記録媒体１８に記録する。
【００１７】
また、操作部材１６からの操作信号に応じて再生モードに設定されると、制御部１４は、記録媒体１８に記録された静止画データを読み出して再生し、表示部１７に表示する。
【００１８】
本実施形態のデジタルカメラ１では、撮影モードとして、通常モードの他に、種々の画像処理を施した撮像画像を得ることのできるクリエイティブモードが設けられている。以下、このクリエイティブモードについて説明する。
【００１９】
クリエイティブモードにおいて、制御部１４の表示制御部１４ａは、図２に示すように、撮像画像に施す画像処理の画像処理パラメータを変更するための画像（以下、リング画像と表記する）５０を表示部１７に表示する。リング画像５０は、リング５１とカーソル５２とを表示する画像である。カーソル５２は、リング５１上において現在選択されている位置を示す。表示制御部１４ａは、ユーザのタッチパネル１６ｂに対するタッチ操作に応じて、カーソル５２の表示位置（すなわち選択位置）をリング５１に沿って移動させる。表示制御部１４ａは、たとえば、カーソル５２に対するドラッグ操作（カーソル５２の表示位置をたとえば指でタッチした後、タッチしたまま指を移動する操作）に応じて、カーソル５２を移動させる。
【００２０】
制御部１４のパラメータ変更部１４ｂは、リング５１上でのカーソル５２の位置（すなわち選択位置）に応じて、撮像画像に施す画像処理の画像処理パラメータを設定する。すなわち、パラメータ変更部１４ｂは、カーソル５２の移動に応じて、撮像画像に施す画像処理の画像処理パラメータを変更する。制御部１４の画像処理部１４ｃは、撮像画像に対して、パラメータ変更部１４ｂにより設定された画像処理パラメータに基づいて画像処理を行う。表示制御部１４ａは、画像処理部１６ｃによる画像処理後の撮像画像を表示部１７に表示する。
【００２１】
なお、本実施形態において、画像処理パラメータは、リング画像５０に設定された４つの画像処理（以下、第１画像処理〜第４画像処理と表記する）のうち、どの画像処理をどのくらいの比率で行うかを示すパラメータである。第１画像処理〜第４画像処理の内容について、詳しくは後述する。
【００２２】
リング画像５０には、リング５１の頂上地点Ｐ０から時計周りに第０位置〜第６５位置の６６か所の位置が設定されており、その位置を示す目盛がリング５１の内側に表示されている。リング５１の頂上地点Ｐ０が第０位置であり、その右隣の位置Ｐ１が第１位置である。第０位置Ｐ０から時計周りに９０度離れた位置Ｐ１７が第１７位置である。第１位置Ｐ１から第１７位置Ｐ１７の間には、第２位置〜第１６位置の１５か所の位置が等間隔に設定される。第０位置Ｐ０から１８０度離れた位置Ｐ３３が第３３位置である。第１７位置Ｐ１７から第３３位置Ｐ３３の間には、第１８位置〜第３２位置の１５か所の位置が等間隔に設定される。第０位置Ｐ０から時計周りに２７０度離れた位置Ｐ４９が第４９位置である。第３３位置Ｐ３３から第４９位置Ｐ４９の間には、第３４位置〜第４８位置の１５か所の位置が等間隔に設定される。第０位置Ｐ０の左隣の位置Ｐ６５は第６５位置である。第４９位置Ｐ４９から第６５位置Ｐ６５の間には、第５０位置〜第６４位置の１５か所の位置が等間隔に設定される。図３は、各位置において設定される画像処理パラメータを説明する図である。図３では、０〜６５の番号が第０位置〜第６５位置を示し、番号の下にその番号が示す位置において設定される画像処理パラメータの内容を記載している。
【００２３】
リング画像５０の表示を開始した時点において、表示制御部１４ａは、リング５１の頂上地点（第０位置）Ｐ０にカーソル５２を表示する。このとき、パラメータ変更部１４ｂは、第１画像処理〜第４画像処理のいずれも行わないように設定する。したがって、表示部１７には、第１画像処理〜第４画像処理のいずれも施していない状態の撮像画像、すなわち元画像が表示される。
【００２４】
カーソル５２が第０位置Ｐ０の右隣の第１位置Ｐ１にある場合、パラメータ変更部１４ｂは、第１画像処理のみを（すなわち第１画像処理を１００％の比率で）行うように設定する。したがって、カーソル５２が第０位置Ｐ０から第１位置Ｐ１に時計周りに移動すると、表示部１７に表示される撮像画像は、元画像の状態から第１画像処理のみを施した状態へと変化する。
【００２５】
カーソル５２が第０位置Ｐ０から時計周りに９０度離れた第１７位置Ｐ１７にある場合、パラメータ変更部１４ｂは、第２画像処理のみを（すなわち第２画像処理を１００％の比率で）行うように設定する。したがって、カーソル５２が第１位置Ｐ１から第１７位置Ｐ１７へと時計周りに移動すると、表示部１７に表示される撮像画像は、第１画像処理のみを施した状態から第２画像処理のみを施した状態へと変化する。このとき、表示部１７に表示される撮像画像は、第１画像処理のみを施した状態から第２画像処理のみを施した状態へ１５段階で徐々に遷移するようになっている。すなわち、カーソル５２が第２位置から第１６位置にある間、パラメータ変更部１４ｂは、第１画像処理および第２画像処理の両方を行う（すなわち第１画像処理および第２画像処理を重ねがけする）ように設定する。このときパラメータ変更部１４ｂは、カーソル５２が第１位置Ｐ１に近いほど第１画像処理の比率を高くして第２画像処理の比率を低くし、カーソル５２が第１７位置Ｐ１７に近いほど第２画像処理の比率を高くして第１画像処理の比率を低くするように設定する。たとえば、パラメータ変更部１４ｂは、カーソル５２が第５位置にあるときは、第１画像処理を７５％、第２画像処理を２５％の比率で、カーソル５２が第９位置にあるときは、第１画像処理を５０％、第２画像処理を５０％の比率で、カーソル５２が第１３位置にあるときは、第１画像処理を２５％、第２画像処理を７５％の比率で行うように設定する。なお、第１画像処理を７５％の比率で行うとは、たとえば、撮像画像に第１画像処理のみを施したとき（すなわち第１画像処理を１００％施したとき）における撮像画像の変化の度合いを１００％としたときに、その度合いの７５％程度撮像画像が変化するように第１画像処理を施すことである。
【００２６】
カーソル５２が第０位置Ｐ０から１８０度離れた第３３位置Ｐ３３にある場合、パラメータ変更部１４ｂは、第３画像処理のみを（すなわち第３画像処理を１００％の比率で）行うように設定する。したがって、カーソル５２が第１７位置Ｐ１７から第３３位置Ｐ３３へと時計周りに移動すると、表示部１７に表示される撮像画像は、第２画像処理のみを施した状態から第３画像処理のみを施した状態へと変化する。このとき、表示部１７に表示される撮像画像は、第２画像処理のみを施した状態から第３画像処理のみを施した状態へ１５段階で徐々に遷移するようになっている。すなわち、カーソル５２が第１８位置から第３２位置にある間、パラメータ変更部１４ｂは、第２画像処理および第３画像処理の両方を行う（すなわち第２画像処理および第３画像処理を重ねがけする）ように設定する。このときパラメータ変更部１４ｂは、カーソル５２が第１７位置Ｐ１７に近いほど第２画像処理の比率を高くして第３画像処理の比率を低くし、カーソル５２が第３３位置Ｐ３３に近いほど第３画像処理の比率を高くして第２画像処理の比率を低くするように設定する。
【００２７】
カーソル５２が第０位置Ｐ０から時計周りに２７０度離れた第４９位置Ｐ４９にある場合、パラメータ変更部１４ｂは、第４画像処理のみを（すなわち第４画像処理を１００％の比率で）行うように設定する。したがって、カーソル５２が第３３位置Ｐ３３から第４９位置Ｐ４９へと時計周りに移動されると、表示部１７に表示される撮像画像は、第３画像処理のみを施した状態から第４画像処理のみを施した状態へと変化する。このとき、表示部１７に表示される撮像画像は、第３画像処理のみを施した状態から第４画像処理のみを施した状態へ１５段階で徐々に遷移するようになっている。すなわち、カーソル５２が第３４位置から第４８位置にある間、パラメータ変更部１４ｂは、第３画像処理および第４画像処理の両方を行う（すなわち第３画像処理および第４画像処理を重ねがけする）ように設定する。このときパラメータ変更部１４ｂは、カーソル５２が第３３位置Ｐ３３に近いほど第３画像処理の比率を高くして第４画像処理の比率を低くし、カーソル５２が第４９位置Ｐ４９に近いほど第４画像処理の比率を高くして第３画像処理の比率を低くするように設定する。
【００２８】
カーソル５２が第０位置Ｐ０の左隣の第６５位置Ｐ６５にある場合、パラメータ変更部１４ｂは、第１画像処理のみを（すなわち第１画像処理を１００％の比率で）行うように設定する。したがって、カーソル５２が第４９位置Ｐ４９から第６５位置Ｐ６５へと時計周りに移動すると、表示部１７に表示される撮像画像は、第４画像処理のみを施した状態から第１画像処理のみを施した状態へと変化する。このとき、表示部１７に表示される撮像画像は、第４画像処理のみを施した状態から第１画像処理のみを施した状態へ１５段階で徐々に遷移するようになっている。すなわち、カーソル５２が第５０位置から第６４位置にある間、パラメータ変更部１４ｂは、第４画像処理および第１画像処理の両方を行う（すなわち第４画像処理および第１画像処理を重ねがけする）ように設定する。このときパラメータ変更部１４ｂは、カーソル５２が第４９位置Ｐ４９に近いほど第４画像処理の比率を高くして第１画像処理の比率を低くし、カーソル５２が第６５位置Ｐ６５に近いほど第１画像処理の比率を高くして第４画像処理の比率を低くするように設定する。
【００２９】
また、カーソル５２が第６５位置Ｐ６５から第０位置Ｐ０へと時計周りに移動すると、表示部１７に表示される撮像画像は、第１画像処理のみ施した状態から元画像の状態へと戻る。
【００３０】
このように、カーソル５２が第０位置Ｐ０から時計周りに１回転すると、撮像画像に施される画像処理が、元画像から、第１画像処理、第２画像処理、第３画像処理、第４画像処理の順で連続的に変更された後、再度第１画像処理に戻って、元画像に戻る。なお、カーソル５２が反時計回りに１回転する場合は、撮像画像に施される画像処理は、上述した時計周りに１回転する場合と逆の順で変化する。また、必ずしもカーソル５２が１回転しなくてもよく、たとえば、カーソル５２が時計周りに半周回転した後に反時計回りに移動して、画像処理の変化を戻すことも可能となっている。
【００３１】
このようにリング画像５０では、リング５１上でカーソル５２を移動させることにより、撮像画像に施す画像処理について、第１画像処理〜第４画像処理のうち、どの画像処理をどれくらいの比率で行うかを変更することができる。
【００３２】
次に、リング画像５０に設定される第１画像処理〜第４画像処理の内容について、詳しく説明する。なお、本説明において、画像処理には、たとえば彩度やコントラスト、ホワイトバランスなどのパラメータを変えることで画作りを行う処理や、たとえばフィルタをかけてぼかしたり周辺を暗くしてトイカメラ風にしたりするなど画像効果をかける処理が含まれるとする。クリエイティブモードでは、被写体の種類を判別し、被写体の種類に応じた４つの画像処理を、第１画像処理〜第４画像処理としてリング画像５０に設定するようになっている。すなわち、被写体の種類によって、リング画像５０に設定される第１画像処理〜第４画像処理の内容が異なっている。
【００３３】
判別される被写体の種類としては、「人物」、「風景」、「空」などがある。なお、これは一例であり、この他、近くの被写体である「接写」や、「夕景」など種々の被写体の種類を判別してもよい。図４は、被写体の種類に応じた第１画像処理〜第４画像処理の組合せを説明する図である。被写体の種類ごとに、それぞれの種類に適した４つの画像処理が第１画像処理〜第４画像処理として予め設定されている。たとえば、被写体「人物」用のリング画像５０ｐには、第１画像処理として「ポートレート」、第２画像処理として「モノクローム」、第３画像処理として「ハイキー」、第４画像処理として「クロスプロセス（Ｒ）」が設定されている。被写体「風景」用のリング画像５０ｇには、第１画像処理として「クロスプロセス（Ｇ）」、第２画像処理として「風景」、第３画像処理として「フィルターモノクロ（セピア）」、第４画像処理として「アヴァンギャルド」が設定されている。被写体「空」用のリング画像５０ｓには、第１画像処理として「ビビッド」、第２画像処理として「ハイキー」、第３画像処理として「モノクローム」、第４画像処理として「クロスプロセス（Ｂ）」が設定されている。
【００３４】
「ポートレート」は、人物の肌をきれいに見せる画作りを行うための画像処理である。「モノクローム」は、白黒の濃淡のみの画作りを行うための画像処理である。「ハイキー」は、画面全体が明るく陰影の少ない画作りを行うための画像処理である。「クロスプロセス（Ｒ）」、「クロスプロセス（Ｇ）」、および「クロスプロセス（Ｂ）」は、クロスプロセス（ポジフィルムを使いネガ用の現像を行う銀塩写真の手法）を行ったような画像効果を得るための画像処理である。なお、「クロスプロセス（Ｒ）」では赤みの強い画像が得られ、「クロスプロセス（Ｇ）」では緑みの強い画像が得られ、「クロスプロセス（Ｂ）」では青みの強い画像が得られる。「ビビッド」は、コントラストが強調された色鮮やかな画作りを行うための画像処理である。「風景」は、自然や街並みなどの景観に適した画作りを行うための画像処理である。「フィルターモノクロ（セピア）」は、セピア色の濃淡のみの画作りを行うための画像処理である。「アヴァンギャルド」は、「ビビッド」よりもさらにコントラストと彩度を上げて独特の画作りを行うための画像処理である。
【００３５】
なお、被写体の種類ごとの第１画像処理〜第４画像処理の組合せに関する情報は、デジタルカメラ１内の不図示のメモリに予め記憶されている。
【００３６】
次に、クリエイティブモードにおいて、撮像画像を被写体ごとの領域に分割し、分割した領域ごとに画像処理を施す処理について説明する。図５（ａ）は、撮像画像の一例を示す図である。制御部１４の領域分割部１４ｄは、図５（ｂ）に示すように、撮像画像を所定数（たとえば２×２の４等分）の領域に分割する。なお、ここで分割する領域の数、形状および大きさについては、予め決められている。領域分割部１４ｄは、分割した領域７１〜７４のそれぞれにおいて、被写体の種類を判別する被写体判別処理を実行する。なお、この被写体判別処理については、公知の方法を用いればよいので、詳細な説明は省略する。図５（ｃ）は、被写体判別処理の結果の一例を示す。たとえば、領域７１および７３は、被写体が「風景」であると判別され、領域７２は被写体が「空」であると判別され、領域７４は被写体が「人物」であると判別される。
【００３７】
領域分割部１４ｄは、上記被写体判別処理の結果、撮像画像において複数種類の被写体を検出すると、次に、撮像画像を被写体ごとの領域に分割する処理を行う。領域分割部１４ｄは、たとえば、同じ特徴量を有する領域は同じ被写体を含むと判別することにより、被写体ごとの領域を検出する。なお、このような処理についても、公知の方法を用いればよいので、詳細な説明は省略する。図５（ｄ）は、被写体ごとに分割された領域の一例を示す。たとえば、被写体「風景」が含まれる分割領域８０ｇと、被写体「空」が含まれる分割領域８０ｓと、被写体「人物」が含まれる分割領域８０ｐとの３つの領域に、撮像画像が分割される。
【００３８】
表示制御部１４ａは、領域分割部１４ｄにより分割された分割領域８０ｇ，８０ｓ，８０ｐごとに、それぞれの被写体の種類に応じた画像処理を設定するためのリング画像５０ｇ，５０ｓ，５０ｐをスルー画に重ねて表示する。たとえば、図５（ｅ）に示すように、表示制御部１４ａは、「風景」用のリング画像５０ｇを「風景」の分割領域８０ｇ上に表示し、「風景」用のリング画像５０ｇの近傍に、これが「風景」用であることを示す風景アイコン９０ｇを表示する。また、表示制御部１４ａは、「空」用のリング画像５０ｓを「空」の分割領域８０ｓ上に表示し、「空」用のリング画像５０ｓの近傍に、これが「空」用であることを示す空アイコン９０ｓを表示する。また、表示制御部１４ａは、「人物」用のリング画像５０ｐを「人物」の分割領域８０ｐ上に表示し、「人物」用のリング画像５０ｐの近傍に、これが「人物」用であることを示す人物アイコン９０ｐを表示する。
【００３９】
ユーザは、タッチパネル１６ｂに対するドラッグ操作によって、「風景」用のリング画像５０ｇのカーソル５２ｇ、「空」用のリング画像５０ｓのカーソル５２ｇ、および「人物」用のリング画像５０ｐのカーソル５２ｐをそれぞれ移動することができる。パラメータ変更部１４ｂは、「風景」用のリング画像５０ｇのカーソル５２ｇの位置に応じて、「風景」の分割領域８０ｇに施す画像処理パラメータを設定する。パラメータ変更部１４ｂは、「空」用のリング画像５０ｓのカーソル５２ｓの位置に応じて、「空」の分割領域８０ｓに施す画像処理パラメータを設定する。パラメータ変更部１４ｂは、「人物」用のリング画像５０ｐのカーソル５２ｐの位置に応じて、「人物」の分割領域８０ｐに施す画像処理パラメータを設定する。
【００４０】
画像処理部１４ｃは、「風景」用のリング画像５０ｇにおいて設定された画像処理パラメータに基づく画像処理を、「風景」の分割領域８０ｇに対して行う。画像処理部１４ｃは、「空」用のリング画像５０ｓにおいて設定された画像処理パラメータに基づく画像処理を、「空」の分割領域８０ｓに対して行う。画像処理部１４ｃは、「人物」用のリング画像５０ｐにおいて設定された画像処理パラメータに基づく画像処理を、「人物」の分割領域８０ｐに対して行う。
【００４１】
なお、このような画像処理は、スルー画として表示される撮像画像に対して（すなわち撮像素子１２により所定のフレームレートで撮像される各フレーム画像に対して）行われる。デジタルカメラ１は、ユーザ操作により複数のリング画像５０のいずれかにおいてカーソル５２が移動されるごとに、その移動に応じて、対応する分割領域の画像処理パラメータを変更し、変更後の画像処理パラメータに基づく画像処理が行われた撮像画像をリアルタイムで表示部１７に表示する。
【００４２】
以上のような構成により、デジタルカメラ１では、「風景」の分割領域８０ｇに対しては「風景」に適した画像処理を行うことができ、「空」の分割領域８０ｓに対しては「空」に適した画像処理を行うことができ、「人物」の分割領域８０ｐに対しては「人物」に適した画像処理を行うことができる。また、ユーザは、「風景」用のリング画像５０ｇにおいて、「風景」の分割領域８０ｇに施す画像処理を、「風景」に適した４つの画像処理の中で変更することができる。「空」用のリング画像５０ｓと「人物」用のリング画像５０ｐにおいても同様である。
【００４３】
また、クリエイティブモードでは、ユーザがリング画像５０のリング５１に対するドラッグ操作（リング５１をたとえば指でタッチし、タッチしたまま指を移動する操作）を行うことにより、リング画像５０自体の表示位置を表示部１７の表示画面内で自由に移動できるようになっている。たとえば、図６に示すように、「風景」用のリング画像５０ｇのリング５１ｇに対してドラッグ操作が行われると、表示制御部１４ａは、このドラッグ操作に応じて「風景」用のリング画像５０ｇの表示位置を移動する。なお、図６（ａ）は、「風景」用のリング画像５０ｇの移動前、図６（ｂ）は移動後を示している。
【００４４】
画像処理部１４ｃは、２つの分割領域同士の境目部分に対して所定の画像処理を行うようになっており、これら２つの分割領域に対応する２つのリング画像５０同士の距離に応じて、その画像処理の度合いを調節するようになっている。したがって、ユーザは、リング画像５０の表示位置を動かしてリング画像５０同士の距離を変えることで、これらのリング画像５０に対応する分割領域同士の境目部分に施す画像処理の度合いを調節することができる。
【００４５】
たとえば、画像処理部１４ｃは、「風景」用のリング画像５０ｇの中心と「空」用のリング画像５０ｓの中心との間の距離Ｌｇｓに応じて、「風景」の分割領域８０ｇと「空」の分割領域８０ｓとの境目部分に施す画像処理の度合いを調節する。画像処理部１４ｃは、「空」用のリング画像５０ｓの中心と「人物」用のリング画像５０ｐの中心との間の距離Ｌｓｐに応じて、「空」の分割領域８０ｓと「人物」の分割領域８０ｐとの境目部分に施す画像処理の度合いを調節する。画像処理部１４ｃは、「人物」用のリング画像５０ｐの中心と「風景」用のリング画像５０ｇの中心との間の距離Ｌｐｇに応じて、「人物」の分割領域８０ｐと「風景」の分割領域８０ｇとの境目部分に施す画像処理の度合いを調節する。
【００４６】
図７は、分割領域同士の境目部分に施す画像処理の内容を説明する図である。たとえば、図７（ａ）に示す「人物」の分割領域８０ｐと「風景」の分割領域８０ｇとの境目部分８１ｐｇに対して画像処理を行う場合を例に挙げて説明する。図７（ｂ）は、分割領域同士の境目部分に対してグラデーション処理を行う例を説明する図である。上述したように、画像処理部１４ｃは、「人物」の分割領域８０ｐに対しては、「人物」用のリング画像５０ｐにおいて設定された「人物」用の画像処理を行い、「風景」の分割領域８０ｇに対しては、「風景」用のリング画像５０ｇによって設定された「風景」用の画像処理を行う。図７（ｂ）に示す場合、画像処理部１４ｃは、「人物」の分割領域８０ｐと「風景」の分割領域８０ｇとの境目部分８１ｐｇに対しては、「人物」用の画像処理が施された状態から、「風景」用の画像処理が施された状態へと段階的に（すなわちグラデーションで）変化するように画像処理を行う。このとき、画像処理部１４ｃは、「人物」用のリング画像５０ｐと「風景」用のリング画像５０ｇとの間の距離が長いほど、グラデーションの幅を長くする。一方、画像処理部１４ｃは、「人物」用のリング画像５０ｐと「風景」用のリング画像５０ｇの間の距離が短いほど、グラデーションの幅を短くする。画像処理部１４ｃは、「人物」用のリング画像５０ｐと「風景」用のリング画像５０ｇとが最も接近した場合は、グラデーションをなしとする（すなわち画像処理を段階的に変化させるのではなく、境目部分８１ｐｇにおいて一気に変化させる）。
【００４７】
図７（ｃ）は、分割領域同士の境目部分に対して縁取りを施す例を説明する図である。画像処理部１４ｃは、「人物」の分割領域８０ｐと「風景」の分割領域８０ｇとの境目部分８１ｐｇに対して縁取りを施す。このとき、画像処理部１４ｃは、「人物」用のリング画像５０ｐと「風景」用のリング画像５０ｇの間の距離が長いほど、境目部分８１ｐｇの縁取りを太くする。一方、画像処理部１４ｃは、「人物」用のリング画像５０ｐと「風景」用のリング画像５０ｇの間の距離が短いほど、境目部分８１ｐｇの縁取りを細くする。
【００４８】
なお、分割領域同士の境目部分に対して、図７（ｂ）に示したようにグラデーション処理を行うか、図７（ｃ）に示したように縁取り処理を行うかについては、どちらの処理を行ってもよい。たとえば、予め設定メニューなどで、ユーザが設定できるようにしてもよい。
【００４９】
次に、クリエイティブモードにおいて制御部１４が実行する処理の流れを、図８および図９に示すフローチャートを用いて説明する。なお、図８および図９に示す処理は、撮影モードがクリエイティブモードに設定されている間、繰り返し行われる。撮影モードがクリエイティブモードに切り替えられると、制御部１４は、スルー画の表示処理を開始すると共に、不図示のメモリに記録された図８および図９に示す処理を行うプログラムを起動して、当該処理を開始する。
【００５０】
図８のステップＳ１において、領域分割部１４ｄは、上述したように、撮像素子１２から得られる撮像画像を所定数の領域に分割し、分割した領域のそれぞれにおいて、被写体の種類を判別する被写体判別処理を行って、ステップＳ２へ進む。
【００５１】
ステップＳ２において、領域分割部１４ｄは、ステップＳ１での被写体判別処理の結果、撮像画像内に複数種類の被写体が検出されたか否かを判定する。１種類の被写体しか検出されなかった（すなわち、判別された被写体の種類が分割領域の全てで同じだった）場合には、領域分割部１４ｄは、ステップＳ２を否定判定してステップＳ１３へ進む。一方、複数種類の被写体が検出された（すなわち、判別された被写体の種類が互いに異なる分割領域があった）場合には、領域分割部１４ｄは、ステップＳ２を肯定判定してステップＳ３へ進む。
【００５２】
ステップＳ３において、領域分割部１４ｄは、上述したように、撮像画像を被写体ごとの領域に分割する処理を行って、ステップＳ４へ進む。
【００５３】
ステップＳ４において、表示制御部１４ａは、ステップＳ３で分割された分割領域ごとに、それぞれの被写体の種類に応じた画像処理を設定するためのリング画像５０を表示して、ステップＳ５へ進む。
【００５４】
ステップＳ５において、制御部１４は、タッチパネル１６ｂに対して、ステップＳ４で表示したリング画像５０のカーソル５２を移動するための操作（すなわちカーソル５２に対するドラッグ操作）が行われたか否かを判定する。制御部１４は、当該操作が行われた場合にはステップＳ６へ進み、当該操作が行われていない場合にはステップＳ７へ進む。
【００５５】
ステップＳ６において、制御部１４は、上述したように、分割領域ごとに、リング画像５０のカーソル５２の位置に応じて画像処理を行う。この処理の流れを、図１０に示すフローチャートを用いて説明する。ステップＳ５１において、表示制御部１４ａは、上記カーソル５２に対するドラッグ操作に応じて、カーソル５２の表示位置を移動させ、ステップＳ５２へ進む。
【００５６】
ステップＳ５２において、パラメータ変更部１４ｂは、ステップＳ５１でのカーソル５２の移動に応じて、上記ドラッグ操作が行われたリング画像５０に対応する分割領域の画像処理パラメータを変更し、ステップＳ５３へ進む。
【００５７】
ステップＳ５３において、画像処理部１４ｃは、撮像画像において、上記ドラッグ操作が行われたリング画像５０に対応する分割領域に対して、ステップＳ５２で変更された画像処理パラメータに基づいて画像処理を行い、ステップＳ５４へ進む。
【００５８】
ステップＳ５４において、表示制御部１４ａは、ステップＳ５３での画像処理後の撮像画像をスルー画として表示部１７に表示し、図１０に示す処理を終了して、図８のステップＳ７へ進む。
【００５９】
図８のステップＳ７において、制御部１４は、タッチパネル１６ｂに対して、ステップＳ４で表示したリング画像５０を移動するための操作（すなわちリング画像５０のリング５１に対するドラッグ操作）が行われたか否かを判定する。制御部１４は、当該操作が行われた場合にはステップＳ８へ進み、当該操作が行われていない場合にはステップＳ９へ進む。
【００６０】
ステップＳ８において、表示制御部１４ａは、上記リング５１に対するドラッグ操作に応じて、リング画像５０の表示位置を移動させて、ステップＳ９（図９）へ進む。
【００６１】
図９のステップＳ９において、制御部１４は、ユーザにより撮影指示が行われたか（すなわちシャッターボタン１６ａが押下されたか）否かを判定する。制御部１４は、撮影指示が行われた場合にはステップＳ１０へ進み、撮影指示が行われていない場合にはステップＳ５へ戻る。すなわち、撮影指示が行われるまで、制御部１４は、ステップＳ５〜Ｓ９の処理を繰り返す。
【００６２】
ステップＳ１０において、表示制御部１４ａは、上記撮影指示の時点における各リング画像５０間の距離をそれぞれ算出して、ステップＳ１１へ進む。たとえば、図５（ｅ）に示したように、「風景」用、「空」用、「人物」用の３つのリング画像５０ｇ，５０ｓ，５０ｐを表示している場合は、「風景」用リング画像５０ｇと「空」用リング画像５０ｓとの間の距離、「空」用リング画像５０ｓと「人物」用リング画像５０ｐとの間の距離、「人物」用リング画像５０ｐと「風景」用リング画像５０ｇとの間の距離を、それぞれ算出する。
【００６３】
ステップＳ１１において、画像処理部１４ｃは、ステップＳ１０で算出されたリング画像５０同士の距離に応じて、これらのリング画像５０に対応する分割領域同士の境目部分に対して行う画像処理の度合いを決定し、ステップＳ１２へ進む。
【００６４】
ステップＳ１２において、制御部１４は、撮像素子１２に記録用の撮像処理を行わせる。画像処理部１４ｃは、当該撮像処理により得られた撮像画像データにおいて、上記撮影指示の時点で各分割領域において設定されていた画像処理パラメータに基づく画像処理を、各分割領域に対して行う。そして、制御部１４は、当該画像処理が施された撮像画像データを、静止画データとして記録媒体１８に記録し、図８および図９に示す処理を終了する。
【００６５】
一方、撮像画像において１種類の被写体しか検出されなかった場合にステップＳ２を否定判定して進むステップＳ１３（図８）において、表示制御部１４ａは、当該検出された被写体の種類に応じた画像処理を設定するための１つのリング画像５０を表示して、ステップＳ１４へ進む。
【００６６】
ステップＳ１４において、制御部１４は、タッチパネル１６ｂに対して、ステップＳ１３で表示したリング画像５０のカーソル５２を移動するための操作（すなわちカーソル５２に対するドラッグ操作）が行われたか否かを判定する。制御部１４は、当該操作が行われた場合にはステップＳ１５へ進み、当該操作が行われていない場合にはステップＳ１６へ進む。
【００６７】
ステップＳ１５において、制御部１４は、撮像画像全体に対して、リング画像５０のカーソル５２の位置に応じて画像処理を行い、ステップＳ１６へ進む。なお、この処理は、リング画像５０が１つであり、撮像画像全体に対して一様に画像処理を行う点以外は、上記ステップＳ６の処理（図１０に示した処理）と同じであるため、説明を省略する。
【００６８】
ステップＳ１６において、制御部１４は、ユーザにより撮影指示が行われた（すなわちシャッターボタン１６ａが押下された）か否かを判定する。制御部１４は、撮影指示が行われた場合にはステップＳ１７へ進み、撮影指示が行われていない場合にはステップＳ１４へ戻る。すなわち、撮影指示が行われるまで、制御部１４は、ステップＳ１４〜Ｓ１６の処理を繰り返す。
【００６９】
ステップＳ１７において、制御部１４は、撮像素子１２に記録用の撮像処理を行わせる。画像処理部１４ｃは、当該撮像処理により得られた撮像画像データに対して、上記撮影指示の時点で設定されていた画像処理パラメータに基づく画像処理を行う。そして、制御部１４は、当該画像処理が施された撮像画像データを、静止画データとして記録媒体１８に記録し、図８および図９に示す処理を終了する。
【００７０】
以上説明した実施の形態によれば、次の作用効果が得られる。
（１）デジタルカメラ１において、領域分割部１４ｄは、撮像素子１２により撮像された撮像画像を、被写体の種類に応じた複数の領域（たとえば、「風景」の分割領域８０ｇ、「空」の分割領域８０ｓ、「人物」の分割領域８０ｐ）分割する。表示制御部１４ａは、分割領域ごとに、その分割領域に含まれる被写体の種類に応じた画像処理に係る画像処理パラメータを変更するためのリング画像５０（たとえば、「風景」用のリング画像５０ｇ、「空」用のリング画像５０ｓ、「人物」用のリング画像５０ｐ）を表示する。パラメータ変更部１４ｂは、リング画像５０に対するユーザ操作（カーソル５２に対するドラッグ操作）に応じて、当該ユーザ操作が行われたリング画像５０に対応する画像処理パラメータを変更する。画像処理部１４ｃは、当該ユーザ操作が行われたリング画像５０に対応する分割領域に対して、パラメータ変更部１４ｂにより変更された画像処理パラメータに基づいて画像処理を施す。これにより、デジタルカメラ１は、被写体ごとに分割した分割領域ごとに、その分割領域に含まれる被写体に応じた画像処理を行うことができる。したがって、デジタルカメラ１は、撮像画像の中に複数の被写体が存在する場合にも、各被写体に対して適切な画像処理を行うことができる。
【００７１】
（２）デジタルカメラ１において、表示制御部１４ａは、リング画像５０のリング５１に対するドラッグ操作に応じて、リング画像５０の表示位置を変更する。画像処理部１４ｃは、２つの分割領域同士の境目部分に対して、これら２つの分割領域に対応する２つのリング画像５０同士の表示位置の間の距離に応じた画像処理を行う。これにより、ユーザは、リング画像５０の表示位置を動かして２つのリング画像５０間の距離を変えることで、これら２つのリング画像５０に対応する２つの分割領域同士の境目部分に対して施す画像処理の度合いを調節することができる。
【００７２】
（３）デジタルカメラ１において、リング画像５０では、これに対応する分割領域に含まれる被写体に応じた第１画像処理〜第４画像処理のうち１つまたは２つの画像処理を当該分割領域に施す画像処理として設定可能であり、且つ２つの画像処理を設定する場合はその比率を設定可能である。これにより、デジタルカメラ１は、ユーザに、被写体に適した複数の画像処理の中から所望の画像処理を選択させることができる。
【００７３】
（４）デジタルカメラ１において、画像処理パラメータを変更するためのリング画像５０を、リング５１と、リング５１上における複数の位置（第１位置〜第６５位置）の中から選択される選択位置を示すカーソル５２とを表示する画像とした。またパラメータ変更部１４ｂは、上記選択位置（カーソル５２の位置）がユーザ操作に応じて変更されることにより、当該ユーザ操作が行われたリング画像５０に対応する画像処理パラメータを変更するようにした。これにより、カーソル５２がリング５１に沿って１回転分移動すると、元画像から第１画像処理、第２画像処理、第３画像処理、第４画像処理を経て第１画像処理に戻り、元画像に戻るという画像処理の変化がユーザにとって直観的にわかりやすい。
【００７４】
（５）デジタルカメラ１において、表示制御部１４ａは、リング画像５０の近傍に、これに対応する分割領域に含まれる被写体の種類を示すアイコンを表示するようにした。これにより、リング画像５０がどの被写体の領域に対応するのかをわかりやすくすることができる。
【００７５】
（変形例１）
上述した実施の形態において、あるリング画像５０の表示位置が移動されて、別のリング画像５０の表示位置に重ねられた場合、これらのリング画像５０に対応する２つの分割領域同士を合わせて１つの分割領域とみなすようにしてもよい。たとえば、「風景」用のリング画像５０ｇが移動されて「空」用のリング画像５０ｓに重ねられた場合、これらのリング画像５０を非表示にして、「空」と「風景」共用のリング画像５０を新たに表示する。「空」と「風景」共用のリング画像５０に設定される第１〜第４画像処理は、たとえば、移動された方のリング画像（ここでは「風景」用のリング画像）５０に設定されていた第１〜第４画像処理とする。パラメータ変更部１４ｂは、「空」の分割領域８０ｓと「風景」の分割領域８０ｇとを合わせて１つの分割領域とみなし、この１つの分割領域に対して施す画像処理の画像処理パラメータを、「空」と「風景」共用のリング画像５０のカーソル５２の位置に応じて設定する。
【００７６】
また、制御部１４は、この「空」と「風景」共用のリング画像５０に対して、ピンチアウト操作（たとえば２本の指をタッチし、これらの指の間隔を広げる操作）が行われた場合には、元の状態（すなわち、「風景」用のリング画像５０ｇと「空」用のリング画像５０ｓとが別々に表示され、「空」の分割領域８０ｓと「風景」の分割領域８０ｇとが分かれている状態）に戻すようにしてもよい。
【００７７】
（変形例２）
上述した実施の形態では、リング画像５０によって変更できる画像処理パラメータが、第１画像処理〜第４画像処理のうち、どの画像処理をどのくらいの比率で行うかを示すパラメータである例について説明した。しかしながら、リング画像５０によって変更できる画像処理パラメータは、この他のパラメータであってもよい。
【００７８】
たとえば、リング画像５０によって変更できる画像処理パラメータが、ある１つの画像処理の強度であるようにしてもよい。この場合、被写体の種類ごとに、画像処理が１つのみ設定されるとする。たとえば、被写体「人物」に対して「ハイキー」のみが設定される場合、パラメータ変更部１４ｂは、「人物」用のリング画像５０ｐにおけるカーソル５２の位置に応じて、「人物」の分割領域８０ｐに施す「ハイキー」の強度を設定する。
【００７９】
また、たとえば、リング画像５０によって変更できる画像処理パラメータが、複数の画像処理のうちどの画像処理を行うかのみを示すパラメータであってもよい。たとえば、「人物」用のリング画像５０に対して８種類の画像処理が設定されているとする。この場合、パラメータ変更部１４ｂは、「人物」用のリング画像５０ｐ上のカーソル５２の位置に応じて、上記８種類の画像処理の中から「人物」の分割領域８０ｐに施す画像処理を選択する。
【００８０】
（変形例３）
上述した実施の形態では、撮影指示が行われると、リング画像５０同士の表示位置の距離をそれぞれ算出し、これらのリング画像５０に対応する分割領域同士の境目部分に対して行う画像処理の度合いを決定する例について説明した。しかしながら、リング画像５０の表示位置が変更される度に、リング画像５０同士の表示位置の距離をそれぞれ算出し、算出した距離に応じてこれらのリング画像５０に対応する分割領域同士の境目部分に対して行う画像処理の度合いを決定し、決定した度合いに応じた画像処理を当該境目部分に対して行うようにしてもよい。
【００８１】
（変形例４）
上述した実施の形態では、領域分割部１４ｄが撮像画像を被写体ごとの領域に分割する例について説明したが、撮像画像を複数の領域に分割する方法はこれに限らなくてもよい。たとえば、ＡＦ（Auto Focus）処理によって検出される被写体距離（デジタルカメラ１から被写体までの距離）に基づいて撮像画像を複数の領域に分割してもよい。また、たとえば、ユーザがタッチパネル１６ｂを介して分割したい領域の輪郭線を入力できるようにし、当該入力された輪郭線に基づいて撮像画像を複数の領域に分割してもよい。
【００８２】
（変形例５）
上述した実施の形態では、リング画像５０において、４種類の画像処理（第１画像処理〜第４画像処理）の中から１つまたは２つの画像処理を選択可能とする例について説明した。しかしながら、リング画像５０において選択可能とする画像処理の選択肢の数はこれに限らなくてよく、２種類または３種類であってもよいし、５種類以上であってもよい。
【００８３】
（変形例６）
上述した実施の形態では、カーソル５２の表示位置を移動させることによりリング５１上におけるカーソル５２の位置（選択位置）を変更する例について説明した。しかしながら、カーソル５２を動かさずにリング５１を回転させて、リング５１上の各位置とカーソル５２との相対位置を変更することで、選択位置を変更するようにしてもよい。
【００８４】
（変形例７）
上述した実施の形態では、選択位置を示すマークとしてカーソル５２を表示する例について説明した。しかしながら、選択位置を示すマークはカーソル５２に限らなくてもよく、たとえば、アイコンなどであってもよい。またたとえば、リング画像５０の目盛の色を変えたり点滅させたりすることで、選択位置を示すマークとして機能させるようにしてもよい。 
【００８５】
（変形例８）
上述した実施の形態では、画像処理パラメータを変更可能とするパラメータ変更情報として、リング画像５０を表示する例について説明した。しかしながら、パラメータ変更情報は、リングを表示する画像に限らなくてもよく、たとえば、バーやアイコンを表示する画像や、テキスト情報などであってもよい。
【００８６】
（変形例９）
上述した実施の形態では、デジタルカメラ１の制御部１４が不図示のメモリに記録されたプログラムを実行することで、上述した図８〜図１０の処理を行う例について説明した。このプログラムは、製品出荷時に予め記録されていてもよいし、製品出荷後、メモリカードなどの記録媒体やインターネットなどのデータ信号を通じて提供されてもよい。図１１はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【００８７】
（変形例１０）
上述した実施の形態では、デジタルカメラに本発明を適用する例について説明したが、これに限らなくてよく、この他の撮像装置（たとえばカメラ付き携帯端末など、撮像手段を有する電子機器）に本発明を適用するようにしてもよい。
【００８８】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００８９】
１…デジタルカメラ、１１…撮像光学系、１２…撮像素子、１４…制御部、１４ａ…表示制御部、１４ｂ…パラメータ変更部、１４ｃ…画像処理部、１４ｄ…領域分割部、１６…操作部材、１７…表示部、１８…記録媒体
【図１】
2018057038.tif 000003
【図２】
2018057038.tif 000004
【図３】
2018057038.tif 000005
【図４】
2018057038.tif 000006
【図５】
2018057038.tif 000007
【図６】
2018057038.tif 000008
【図７】
2018057038.tif 000009
【図８】
2018057038.tif 000010
【図９】
2018057038.tif 000011
【図１０】
2018057038.tif 000012
【図１１】
2018057038.tif 000013